(57)【要約】【課題】充電台１に金属異物５がセットされたことを速やか検出する。【解決手段】  充電台１に無接点受電装置２をセットし、充電台１の送電コイル３に無接点受電装置２の受電コイル４を電磁結合して、送電コイル３から受電コイル４に電磁誘導作用で電力搬送して、受電コイル４に誘導される電力で無接点受電装置２の電池を充電する無接点充電方法であって、受電コイル４のインダクタンスの変化量（ΔＨ）を検出して、インダクタンスの変化量（ΔＨ）から充電台１に無接点受電装置２の近傍に金属異物がセットされたことを判定する【選択図】図１
2015095905.tif 000002
【特許請求の範囲】
【請求項１】
充電台に無接点受電装置をセットし、充電台の送電コイルに無接点受電装置の受電コイルを電磁結合して、送電コイルから受電コイルに電磁誘導作用で電力搬送する無接点電力搬送方法であって、
受電コイルのインダクタンスの変化量（ΔＨ）を検出して、インダクタンスの変化量（ΔＨ）から充電台に無接点受電装置の近傍に金属異物がセットされたことを判定する無接点電力搬送方法。
【請求項２】
前記無接点受電装置がセットされたことを検出するための充電台からのパルスのピング電力を蓄えて、ピングが終了した後で受電コイルのインダクタンスの値を検出し記憶している単体でのインダクタンスからの変化量（ΔＨ）を検出して、インダクタンスの変化量（ΔＨ）から充電台に無接点受電装置の近傍の金属異物の有無を判定する請求項１の無接点電力搬送方法。
【請求項３】
前記無接点受電装置に、インダクタンスの変化量（ΔＨ）から金属異物を判定する閾値を記憶させて、記憶する閾値とインダクタンスの変化量（ΔＨ）とを比較し、インダクタンスの変化量（ΔＨ）が閾値よりも小さい状態で無接点受電装置と同時に金属異物がセットされたと判定する請求項１に記載される無接点電力搬送方法。
【請求項４】
前記無接点受電装置が、インダクタンスの変化量（ΔＨ）を検出し、検出するインダクタンスの変化量（ΔＨ）が閾値よりも大きいと、無接点受電装置がセットされたと判定して、無接点受電装置に電力搬送を開始する請求項３に記載される無接点電力搬送方法。
【請求項５】
前記無接点受電装置の前記受電コイルにコンデンサーを接続して、受電コイルのインダクタンスとコンデンサーの静電容量で発振周波数を特定する発振回路を設け、この発振回路の発振周波数を検出して、発振周波数とコンデンサーの静電容量からインダクタンスの変化量（ΔＨ）を演算する請求項１ないし４のいずれかに記載される無接点電力搬送方法。
【請求項６】
前記発振回路の発振周波数の検出において、検出時には検出する回路を接続し、非検出時には、検出回路を切り離す請求項５に記載される無接点電力搬送方法。
【請求項７】
前記無接点充電装置が電池内蔵機器の場合、無接点受電装置がセットされたことを検出するための充電台からのパルスのピング電力はタイミング検出に用い、電力は蓄えずピングが終了するのを待って電池を接続し、電池の電力で受電コイルのインダクタンスの変化量（ΔＨ）を測定して金属異物の有無を判別する請求項１の無接点電力搬送方法。
【請求項８】
前記無接点充電装置が電池非内蔵機器の場合、ピング電力をマイコン駆動用に蓄え、かつ次回のピングまで金属異物の有無の判定値をコンデンサにアナログ電圧としてためておき、次回ピング時にそのポートをA/D変換して金属異物の有無を判断する請求項２の無接点電力搬送方法。
【発明の詳細な説明】
【技術分野】
【０００１】
本発明は、送電コイルと受電コイルとを電磁結合するように互いに接近して配置し、送電コイルから受電コイルに電磁誘導作用で電力搬送して、受電コイルに誘導される電力で電池を充電する無接点充電方法に関し、とくに充電台に金属異物がセットされたことを検出する無接点電力搬送方法に関する。
【背景技術】
【０００２】
送電コイルを内蔵する充電台に、受電コイルを内蔵する無接点受電装置をセットして、送電コイルから受電コイルに電力搬送して、電池内蔵機器無接点受電装置の電池を充電する無接点充電方法は開発されている。（特許文献１参照）
この無接点充電方法は、充電台の送電コイルと、無接点受電装置の受電コイルとを電磁結合するように、無接点受電装置を充電台にセットして、送電コイルから受電コイルに電力搬送して、受電コイルに誘導される電力で無接点受電装置の内蔵電池を充電したり、受電装置に接続された機器に電力を伝送する。この充電方
法は、コネクタを介して無接点受電装置を充電台に接続する必要がなく、無接点方式で内蔵電池を便利に充電したり、電池なしで利用したりできる。
【０００３】
この充電方法は、クリップなどの金属製の金属異物が載せられると、金属異物に誘電電流が流れてジュール熱で発熱する弊害がある。また、金属異物に誘導電流が流れて無駄に電力を消費するので、充電台から効率よく電池を充電できなくなる欠点もある。この欠点を解消するために、特許文献１の充電台は、上面に縦横に並べて多数の温度センサを配置している。温度センサは、充電台に載せられて金属異物が発熱するのを検出する。この充電台は、上に金属製の金属異物を載せる状態で、送電コイルに交流電力を供給すると、金属異物に誘電電流が流れて発熱するので、この金属異物の発熱を、近くに配置している温度センサで検出する。
【先行技術文献】
【特許文献】
【０００４】
【特許文献１】特開２００８−１７５６２号公報
【発明の概要】
【発明が解決しようとする課題】
【０００５】
以上の充電台は、金属異物の温度上昇を温度センサで検出して金属異物がセットされたことを検出するので、金属異物がセットされたことを速やかに検出できない欠点がある。また、金属異物がどこにセットされるかが特定されないために、多数の温度センサを載せ台の上面に配置する必要がある。このため、温度センサの数が多くなって部品コストが高くなる。また、金属異物が置かれる位置によって、どの温度センサが発熱を検出するかが特定されないので、多数に設けている全ての温度センサの検出温度から金属異物が載せられたことを判定する必要があるので、多数の温度センサの検出温度から金属異物が載せられたことを検出する検出回路も複雑になり、簡単な回路で金属異物を検出できない欠点もある。
【０００６】
本発明は、さらに以上の弊害を解消することを目的に開発されたもので、本発明の大切な目的は、充電台に金属異物がセットされたことを速やか2次側にて検出できる無接点電力搬送方法を提供することにある。
【課題を解決するための手段】
【０００７】
本発明の無接点電力搬送方法は、充電台に無接点受電装置をセットし、充電台の送電コイルに無接点受電装置の受電コイルを電磁結合して、送電コイルから受電コイルに電磁誘導作用で電力搬送する無接点電力搬送方法であって、受電コイルのインダクタンスの変化量（ΔＨ）を検出して、インダクタンスの変化量（ΔＨ）から充電台に無接点受電装置の近傍に金属異物がセットされたことを判定する。
【０００８】
また、前記無接点受電装置がセットされたことを検出するための充電台からのパルスのピング電力を蓄えて、ピングが終了した後で受電コイルのインダクタンスの値を検出し記憶している単体でのインダクタンスからの変化量（ΔＨ）を検出して、インダクタンスの変化量（ΔＨ）から充電台に無接点受電装置の近傍の金属異物の有無を判定する。
【０００９】
前記無接点受電装置に、インダクタンスの変化量（ΔＨ）から金属異物を判定する閾値を記憶させて、記憶する閾値とインダクタンスの変化量（ΔＨ）とを比較し、インダクタンスの変化量（ΔＨ）が閾値よりも小さい状態で無接点受電装置と同時に金属異物がセットされたと判定する。
【００１０】
前記無接点受電装置が、インダクタンスの変化量（ΔＨ）を検出し、検出するインダクタンスの変化量（ΔＨ）が閾値よりも大きいと、無接点受電装置がセットされたと判定して、無接点受電装置に電力搬送を開始する。
【００１１】
前記無接点受電装置の前記受電コイルにコンデンサーを接続して、受電コイルのインダクタンスとコンデンサーの静電容量で発振周波数を特定する発振回路を設け、この発振回路の発振周波数を検出して、発振周波数とコンデンサーの静電容量からインダクタンスの変化量（ΔＨ）を演算する。
【００１２】
前記発振回路の発振周波数の検出において、検出時には検出する回路を接続し、非検出時には、検出回路を切り離す。
【００１３】
前記無接点充電装置が電池内蔵機器の場合、無接点受電装置がセットされたことを検出するための充電台からのパルスのピング電力はタイミング検出に用い、電力は蓄えずピングが終了するのを待って電池を接続し、電池の電力で受電コイルのインダクタンスの変化量（ΔＨ）を測定して金属異物の有無を判別する。
【００１４】
前記無接点充電装置が電池非内蔵機器の場合、ピング電力をマイコン駆動用に蓄え、かつ次回のピングまで金属異物の有無の判定値をコンデンサにアナログ電圧としてためておき、次回ピング時にそのポートをA/D変換して金属異物の有無を判断する。
【発明の効果】
【００１５】
本発明の無接点電力搬送方法は、2次側の受電コイルのインダクタンスの変化量（ΔＨ）を検出して、インダクタンスの変化量（ΔＨ）から充電台に無接点受電装置の近傍に金属異物がセットされたことを判定する。充電台の送電側には、送電コイルの下に大きな磁気シールドが存在し、また無接点受電装置のように様々な金属類は装着されておらず、比較的、安定な一定の変化量（ΔＨ）の増加があるので、金属製異物の検出が容易である。
【図面の簡単な説明】
【００１６】
【図１】本発明の実施例にかかる無接点電力搬送方法に使用する充電台と無接点受電装置のブロック図である。
【図２】本発明の一実施例にかかる無接点電力搬送方法に使用される発振回路を示す回路図である。
【図３】本発明の他の実施例にかかる無接点電力搬送方法に使用される発振回路を示す回路図である。
【発明を実施するための形態】
【００１７】
以下、本発明の実施例を図面に基づいて説明する。ただし、以下に示す実施例は、本発明の技術思想を具体化するための無接点電力搬送方法を例示するものであって、本発明は無接点電力搬送方法を以下の方法や回路構成に特定しない。
【００１８】
図１は、本発明の無接点電力搬送方法で、充電台１の上に無接点受電装置２を載せて、無接点受電装置２に、電力搬送し、電池６を充電する状態を示している。
【００１９】
充電台１は、ケースの上面に、無接点受電装置２を載せる上面プレート７を設けて、この上面プレート７の内側に送電コイル３を配置している。送電コイル３は、交流電源８を接続して、交流電源８をコントロール回路９で制御している。コントロール回路９は、電池内蔵機器２の伝送回路１０から伝送される検出信号を受信回路１１で検出して、検出する検出信号で、送電コイル３に供給する電力をコントロールしながら、無接点受電装置２に電力搬送する。
【００２０】
さらに、無接点受電装置２は、受電コイル４のインダクタンスの変化量（ΔＨ）を検出して、検出するインダクタンスの変化量（ΔＨ）から、充電台１に、無接点受電装置２の近傍に金属異物５がセットされたかどうかを判定する異物検出回路１２を備えている。
【００２１】
充電台１は、無接点受電装置２は、受電コイル４を受電コイル４に電磁結合して、送電コイル３から受電コイル４に電力搬送する。無接点受電装置２を上面プレート７の自由な位置にセットして、電池６を充電する充電台１は、送電コイル３を受電コイル４に接近するように移動させる機構（図示せず）を内蔵することもできる。この充電台１は、送電コイル３をケースの上面プレート７の下に配設して、上面プレート７に沿って移動させて受電コイル４に接近させる。ただし、充電台は、必ずしも送電コイルを受電コイルに接近させるように送電コイルを移動させる機構を内蔵する必要はなく、無接点受電装置を充電台の定位置に配置して、送電コイルを受電コイルに接近する構造とすることもできる。
【００２２】
送電コイル３は、上面プレート７と平行な面で渦巻き状に巻いてなる平面コイルで、上面プレート７の上方に交流磁束を放射する。この送電コイル３は、上面プレート７に直交する交流磁束を上面プレート７の上方に放射する。送電コイル３は、交流電源８から交流電力が供給されて、上面プレート７の上方に交流磁束を放射する。送電コイル３は、受電コイル４の外径にほぼ等しくして、受電コイル４に効率よく電力搬送する。
【００２３】
交流電源８は、たとえば、２０ｋＨｚ〜１ＭＨｚの高周波電力を送電コイル３に供給する。送電コイル３を受電コイル４に接近するように移動させる充電台１は、交流電源８を、可撓性のリード線を介して送電コイル３に接続している。交流電源８は、発振回路と、この発振回路から出力される交流を電力増幅するパワーアンプとを備える。
【００２４】
充電台１は、送電コイル３を受電コイル４に接近させる状態であって、金属異物５がセットされない状態で、交流電源８から送電コイル３に交流電力を供給して電力搬送し、受電コイル４の近傍に金属異物５がセットされる状態では、電力搬送しない。送電コイル３の交流電力は、受電コイル４に電力搬送されて、電池６を充電する。充電台１は、電池６が満充電されると、無接点受電装置２から伝送される満充電信号で送電コイル３への電力供給を停止して、電池６の充電を停止する。
【００２５】
異物検出回路１２は、受電コイル４のインダクタンスの変化量（ΔＨ）を検出し、検出するインダクタンスの変化量（ΔＨ）を閾値に比較して金属異物５がセットされたかどう
かを判定する。
【００２６】
無接点受電装置２の受電コイル４は、単体で存在する場合に比べて、送電コイル３が接近している状態において、受電コイル４のインダクタンスは、増加する。また、受電コイル４と送電コイル３との間に、金属製異物が存在する場合は、インダクタンスの増加は小さくなる。
【００２７】
受電コイル４のインダクタンスは、受電コイル４にコンデンサーを接続し、インダクタンスとコンデンサーの静電容量で発振周波数を特定する発振回路を形成し、発振回路の発振周波数とコンデンサーの
静電容量から演算できる。
【００２８】
発振回路の発振周波数（ｆ）は、送電コイル３で構成される検出コイルＫのインダクタンス（Ｌ）と、コンデンサーの静電容量（Ｃ）から以下の数式で特定される。
【００２９】
【数１】
2015095905.tif 000003
【００３０】
発振周波数は、周波数カウンタで検出される。発振周波数（ｆ）が検出されると、発振周波数（ｆ）とコンデンサーの静電容量（Ｃ）から、以下の数式で受電コイル４のインダクタンス（Ｌ）は演算される。
【００３１】
【数２】
2015095905.tif 000004
【００３２】
インダクタンスが演算されると、演算されるインダクタンスを閾値に比較して、無接点受電装置の近傍に金属異物がセットされたことを検出できる。ただし、インダクタンスを演算して閾値に比較することなく、インダクタンスによって特定される周波数から無接点受電装置の近傍に金属異物がセットされたことを検出することもできる。インダクタンスが変化すると発振周波数も変化するので、周波数を閾値に比較して金属異物を検出する方法は、実質的にはインダクタンスを閾値に比較して金属異物を検出することになるからである。インダクタンスを演算することなく、周波数カウンタの数値から金属異物を判定する方法は、より簡単に金属異物を判定できる。このように、インダクタンスの変化から検出する方法は、周波数カウンタする方法も含んでいる。また、インダクタンスで特定されるインピーダンスから金属異物を検出することもできる。
【００３３】
無接点受電装置２が上面プレート７にセットされて、受電コイル４のインダクタンスが増加するのは、充電台１の送信コイル３の磁気シールド１４が受信コイル４に接近されるからである。無接点受電装置２、充電台は、受電コイル４、送電コイル３の交流磁場から電池や回路基板をシールドするために、磁気シールド１４、１３を設けている。磁気シールド１４、１３には、フェライトなどの透磁率が高いシートが使用される。磁気シールド１４、１３を設けない無接点受電装置２は、送電コイル３の交流磁場によって、電池の外装缶に誘電電流が流れて渦電流によるジュール熱で発熱し、また回路基板には雑音や発熱などの弊害を与える。この弊害を防止する無接点受電装置２、充電台４は、図１に示すよ
うに、受電コイル４の片面を送電コイル３に対向させて、その反対側の面に磁気シールド１４、１３を設けている。磁気シールド１４、１３には、透磁率の高いフェライトなどが使用されるので、これが送電コイル３に接近して影響を与え受電コイル４のインダクタンスを増加させる。
【００３４】
充電台１の上面プレート７に金属異物５がセットされると、受電コイル４に金属異物５が接近して、受電コイル４のインダクタンスを減少させる。金属異物５が受電コイル４のインダクタンスを減少させる割合は、その面積により異なるが、いずれにしても送電コイルの磁性シールドによって増加されるべき分が相殺されてしまう。したがって、異物検出回路１２は、インダクタンスの変化量（ΔＨ）の大きさで、無接点受電装置２の近傍に金属異物５がセットされたことを判定でき、変化量（ΔＨ）が大きいと無接点受電装置のみがセットされ、インダクタンスが小さくなるか、あるいは減少すると無接点受電装置の近傍に金属異物がセットされたと判定できる。異物検出回路１２は、インダクタンスの変化量（ΔＨ）を閾値に比較して、変化量（ΔＨ）が閾値よりも大きいと無接点受電装置２のみがセットされたと判定し、閾値よりも小さいと無接点受電装置２の近傍に金属異物５がセットされたと判定する。閾値は、あらかじめ異物検出回路１２或いは後述する制御部１５に記憶される。
【００３５】
図１の無接点受電装置２は、電池６と、受電コイル４と、この受電コイル４に誘導される交流を直流に変換する整流回路２１を備え、この整流回路２１からの出力は電池を充電する。また、異物検出回路１２の出力が、マイコンを備える制御部１５に入力され、演算、判定を行い、これに対応した信号を１次側に送信するように、伝送回路１０に動作させる。
【００３６】
異物検出回路１２が、無接点受電装置２がセットされたことに対応する検出信号を出力すると、制御部１５が出力を受けて、信号を演算、判定する。制御部１５から判定信号を出力し、伝送回路１０より、判定信号に対応した信号が、受電コイル４、送電コイル３に送信される。この信号を、受信回路１１が判別し、コントロール回路９で交流電源８を制御して、交流電源８から送電コイル３に交流電力を供給して電力搬送を開始する。金属異物５がセットされたと判定すると、金属異物の判定信号が上記のように伝達され、交流電源８から送電コイル３に電力を供給しない状態として、電力搬送を開始しない。
【００３７】
送電コイル３が移動しない充電台１は、無接点受電装置２を決められた位置にセットして使用される。無接点受電装置２が充電台１の定位置にセットされると、送電コイル３からは一定時間ごとに６０mS程度のパルスでピング電力が出力されており、無接点受電装置２がセットされると、このピング電力で制御部１５のCPUが起き上がるための電力が一時的に蓄えられる。そして最初のピングのパルスが終了するまで待ち、パルス送電が止まったら蓄えられた電力で受電コイルのインダクタンスを測定する。
この無接点受電装置２は、受電コイル４のインダクタンスの値を測定し、記憶している単体でのインダクタンスと比べてその変化量（ΔＨ）が閾値を越えることを検出して、無接点受電装置２のみがセットされたことを判定して、次のピングの時に通常動作するか、エラー送信するか決定する。本実施例においては、インダクタンスの変化量（ΔＨ）を検出することは、周波数カウンタする方法も含んでいる。
【００３８】
一方、本実施例と比較して、以下の比較例を示す。
【００３９】
無接点受電装置２が充電台１の上面プレート７にセットされて、送電コイル３のインダクタンスを増加させる変化量（ΔＨ）は、各々の無接点受電装置２によって変化する。無接点受電装置２に内蔵される受電コイル４の磁気シールド１３の材質、大きさ、形状、送電コイル３から磁気シールドまでの距離などが異なるからである。無接点受電装置２を充
電台１の上面プレート７にセットして、送電コイル３のインダクタンスの変化量（ΔＨ）を検出し、検出されるインダクタンスの変化量（ΔＨ）を各無接点受電装置２のメモリに記憶させることで、充電台内の異物検出回路により無接点受電装置２と金属異物５とを判定できる。
【００４０】
このような比較例では、2次側は、種々のモバイル機器（無接点受電装置）であり、ケースまたは電池蓋の厚みもそれぞれ違い、また様々な電子部品や、電池、金属ケース等の影響で、送電コイルに受電コイルが接近することによる変化量（ΔＨ）も大きな差があり、無接点受電装置側より、閾値等のパラメータを、充電台に送信する必要がある。
【００４１】
これに対し、本実施例においては、充電台の送電側には、主に、送電コイルが存在し、無接点受電装置のように様々な金属類は装着されておらず、また電池内蔵機は自身のケースまたは電池蓋の厚みもわかっており比較的、安定な一定の変化量（ΔＨ）の増加があるので、金属製異物の検出が容易である。そして、閾値等のパラメータを充電台に送信する必要もなくなる。
【００４２】
無接点受電装置２は、充電台１の送電コイル３に電磁結合される受電コイル４を内蔵しており、この受電コイル４に誘導される電力で電池６を充電する。無接点受電装置２は、充電できる電池６を備えている携帯機器であって、パック電池、携帯電話機、携帯式の音響機器、携帯機器を充電する電池を内蔵している充電器など、電池を備える携帯機器である。
【００４３】
電池６は、リチウムイオン電池又はリチウムポリマー電池である。ただし、電池は、ニッケル水素電池やニッケルカドミウム電池などの充電できる全ての電池とすることができる。無接点受電装置２は、１個ないし複数の電池６を内蔵している。複数の電池は、直列又は並列に接続され、あるいは直列と並列に接続される。
【００４４】
充電制御回路１５は、リチウムイオン電池やリチウムポリマー電池等を定電圧・定電流充電し、ニッケル水素電池やニッケルカドミウム電池を定電流充電する。さらに、制御部１５は、電池６の満充電を検出して、満充電信号を伝送回路１０を介して充電台１に伝送する。充電台１は、伝送回路１０から伝送される満充電信号を受信回路１１で検出する。満充電信号を検出すると、コントロール回路９は交流電源８を制御して、送電コイル３への電力供給を停止させる。
【００４５】
伝送回路１０は、無接点受電装置２から充電台１に、電池の充電電流、充電電圧、効率閾値信号、電池の満充電信号、ＩＤ信号などの種々の伝送信号を伝送する。伝送回路１０は、受電コイル４の負荷インピーダンスを変化させて、送電コイル３に種々の伝送信号を伝送する。この伝送回路１０は、図示しないが、受電コイルに変調回路を接続している。変調回路は、コンデンサーや抵抗等の負荷とスイッチング素子とを直列に接続して、スイッチング素子のオンオフを制御して種々の伝送信号を充電台１に伝送する。
【００４６】
充電台１の受信回路１１は、送電コイル３のインピーダンス変化、電圧変化、電流変化等を検出して、伝送回路１０から伝送される伝送信号を検出する。受電コイル４の負荷インピーダンスが変化すると、これに電磁結合している送電コイル３のインピーダンスや電圧や電流が変化するので、受信回路１１は、これ等の変化を検出して、無接点受電装置２の伝送信号を検出することができる。
【００４７】
ただし、伝送回路は、搬送波を変調して伝送する回路、すなわち送信機とすることもできる。この伝送回路から伝送される伝送信号の受信回路は、搬送波を受信して、伝送信号を検出する受信器である。伝送回路と受信回路とは、無接点受電装置から充電台に伝送信
号を伝送できる全ての回路構成とすることができる。
【００４８】
無接点受電装置２が電池を内蔵しないときは、無接点受電装置がセットされたことを検出するための充電台１からのパルスのピング電力を蓄えて、ピングが終了した後で受電コイルのインダクタンスの値を検出し記憶している本来の単体でのインダクタンスからの変化量（ΔＨ）を検出して、インダクタンスの変化量（ΔＨ）から充電台に無接点受電装置の近傍の金属異物の有無を判定する。
【００４９】
また、無接点充電装置が電池内蔵機器の場合、ピング電力はタイミング検出に用い、電力は蓄えずピングが終了するのを待って電池を接続し、電池の電力で受電コイルのL値を測定して金属異物の有無を判別する。
【００５０】
そして、無接点充電装置が電池非内蔵機器の場合、ピング電力を制御部５のマイコン駆動用に蓄え、かつ次回のピングまで金属異物の有無の判定値をコンデンサにアナログ電圧としてためておき、次回ピング時にそのポートをA/D変換して金属異物の有無を判断する。
【００５１】
上述の数１にて特定される発振周波数（ｆ）の発振回路は、図２に開示される回路を利用できる。図において、受電コイルＬ１と直列に接続されるコンデ
ンサーＣ１、整流回路Ｂ１に、電源回路Ｖ＋を印加することに
より、自励式発振回路（図で使用しているのはピアース式であるが、これに限定されない）が形成される。整流回路Ｂ１の中点には、コンデンサーＣ３が接続され、接地されている。
受信コイルL1、コンデンサーC3、C4の共振回路にて、共振信号がCount端子を通じて出力され、この共振信号の周波数をカウント（カウントする回路は図示せず）し、その周波数より、制御部１５にて、周波数ｆ、インダクタンスLを演算し、上記のように判定する。ここで、増幅器Ｕ１は、コンデンサーＣ４の上側での電圧を増幅し、Ｃｏｕｎｔ端子に出力している。Ｃｏｕｎｔ端子からの出力に基づき、別途（図示なし）、設けられる回路、演算回路により、上記の
数式と同様に、以下の数３の周波数で発振するので、周波数が特定、演算される。
【００５２】
図２の回路において、前記発振回路の発振周波数の検出において、検出時には検出する回路を接続し、非検出時には、検出回路を切り離すこともできる。
【００５３】
【数３】
2015095905.tif 000005
【００５４】
図２の共振回路は、一例であり、この回路に限定されるものではない。
【００５５】
上述の数１にて特定される発振周波数（ｆ）の発振回路は、図３に開示される回路を利用できる。図において、受電コイルＬ１と直列に接続されるコンデ
ンサーＣ１、整流回路Ｂ１に、電源回路Ｖ＋を印加することに
より、自励式発振回路（図で使用しているのはクラップ式であるが、コルピッツ式でもハートレー式でも可能）が形成される。整流回路Ｂ１の中点には、コンデンサーＣ２が接続
され、接地されている。
【００５６】
コンデンサーＣ３
、Ｃ４、Ｃ５を直列し、直流の電源電圧を出力する電源回路Ｖ＋より、ＮＰＮ型トランジスタＱ１のコレクターに、電源電圧が印加されるとともに、ト
ランジスターＱ１のベースとコンデンサーＣ３、Ｃ４との接点に抵抗Ｒ１を介して、電源電圧が印加される。トランジスターＱ１のエミッターに抵抗Ｒ２（例えば１ＫΩ）が直列接続され、この端部が接地される。コンデンサーＣ５の一端は、接地されると共に、他端は、抵抗Ｒ２に並列接続される。また、トランジスターＱ１のエミッターには、コンデンサーＣ５を介して、発振回路の出力が、Ｃｏｕｎｔ端子から出力される。そして、図４の回路により、電源回路Ｖ＋が供給されると、トランジスターＱ１がＯＮとなり、Ｃｏｕｎｔ端子からの出力に基づき、別途（図示なし）、設けられる回路、演算回路により、上記の数式と同様に、非送電時には出力回路はハイインピーダンスになるのでコンデンサーＣ１の容量は無視され、以下の数式の周波数で発振するので、周波数が特定、演算される。
【００５７】
ここで、数４に示すように、Ｃは、コンデンサーＣ２、Ｃ３、Ｃ４、Ｃ５の直列容量を示している。コンデンサーＣ２、Ｃ３、Ｃ４、Ｃ５によるクラップ発振回路となる。
【００５８】
【数４】
2015095905.tif 000006
【産業上の利用可能性】
【００５９】
本発明の無接点電力搬送方法は、無接点受電装置の内蔵電池を充電する充電台に金属異物がセットされたことを検出するので、金属異物の発熱などの弊害を防止して、無接点受電装置を安全に充電する電台に最適である。
【符号の説明】
【００６０】
１…充電台
２…無接点受電装置
３…送電コイル
４…受電コイル
５…金属異物
６…電池
７…上面プレート
８…交流電源
９…コントロール回路
１０…伝送回路
１１…受信回路
１２…異物検出回路
１３、１４…磁気シールド
１５…制御部
【図１】
2015095905.tif 000007
【図２】
2015095905.tif 000008
【図３】
2015095905.tif 000009